(57)【要約】【課題】排出皿に排出されたものがある場合にも顧客に返し忘れる前にオペレータに通知できる入出金装置、商品販売データ登録処理装置及び商品販売データ登録処理プログラムを提供する。【解決手段】商品販売データ登録処理装置は、情報を入出力する入出力部と、記録媒体に画像形成するプリンタと、商品毎に固有に割り当てられる識別子である商品コード毎に単価を格納する商品マスタと、一取引の内容を格納するトランザクションファイルと、物の存在を検知する受け皿センサを備え、出金する硬貨を受ける受け皿及び物の存在を検知する排出皿センサを備え、排出する物を受ける排出皿を備える入出金装置から少なくとも排出皿に物が存在する旨の情報を受信した場合、入出力部に排出皿から当該物の取り除きを促す旨の表示を出力する制御部と、を備える。【選択図】図７
2015026241.tif 000002
【特許請求の範囲】
【請求項１】
情報を入出力する入出力部と、
記録媒体に画像形成するプリンタと、
商品毎に固有に割り当てられる識別子である商品コード毎に単価を格納する商品マスタと、
一取引の内容を格納するトランザクションファイルと、
物の存在を検知する受け皿センサを備え、出金する硬貨を受ける受け皿、及び物の存在を検知する排出皿センサを備え、排出する物を受ける排出皿を備える入出金装置から少なくとも前記排出皿に物が存在する旨の情報を受信した場合、前記入出力部に前記排出皿から当該物の取り除きを促す旨の表示を出力する制御部と、
を備える商品販売データ登録処理装置。
【請求項２】
前記入出金装置は、
前記排出皿センサの出力に基づいて前記排出皿に物がないと判定した場合、前記排出皿に物がない旨の情報を前記商品販売データ登録処理装置に送信し、
前記制御部は、
前記入出金装置から前記排出皿に物がない旨の情報を受信した場合、前記取り除きを促す旨の表示を消去する請求項１記載の商品販売データ登録処理装置。
【請求項３】
硬貨を投入する硬貨投入孔と、
投入された硬貨から処理不可能と判定された物を排出する排出機構と、
物の存在を検知する受け皿センサを備え、出金する硬貨を受ける受け皿と、
物の存在を検知する排出皿センサを備え、前記排出機構が排出する物を受ける排出皿と、
を備える入出金装置。
【請求項４】
前記排出皿センサの出力に基づいて前記排出皿に物が存在すると判定した場合、前記排出皿に物が存在する旨の情報を商品販売データ登録処理装置に送信する請求項３記載の入出金装置。
【請求項５】
情報を入出力する入出力部と、
記録媒体に画像形成するプリンタと、
商品毎に固有に割り当てられる識別子である商品コード毎に単価を格納する商品マスタと、
一取引の内容を格納するトランザクションファイルと、
情報を処理する制御部と、
を備える商品販売データ登録処理装置を、
物の存在を検知する排出皿センサを備え、排出する物を受ける排出皿を備える入出金装置から前記排出皿に物が存在する旨の情報を受信した場合、前記入出力部に前記排出皿から当該物の取り除きを促す旨の表示を出力するメッセージ出力手段として機能させるための商品販売データ登録処理プログラム。
【請求項６】
前記商品販売データ登録処理装置を、
前記入出金装置から前記排出皿に物がない旨の情報を受信した場合、前記取り除きを促す旨の表示を消去するメッセージ消去手段としてさらに機能させるための請求項５記載の商品販売データ登録処理プログラム。
【発明の詳細な説明】
【技術分野】
【０００１】
本発明の実施形態は、入出金装置、商品販売データ登録処理装置及び商品販売データ登録処理プログラムに関する。
【背景技術】
【０００２】
例えばＰＯＳ（Ｐｏｉｎｔ  ｏｆ  ｓａｌｅｓ）端末などの商品販売データ登録処理装置は入出金装置が併せて使用されることが多い。
【０００３】
この入出金装置は、硬貨を投入する投入孔と、硬貨でないと検知されたものを排出する排出皿と、硬貨を払い出す受け皿と、を備える。
【０００４】
入出金装置は、ホストであるＰＯＳ端末から出金コマンドを受信すると、指定された金額だけ受け皿に出金する。また、硬貨を投入する場合は、磁気センサによって１枚ずつ硬貨であるかどうかを検知し、硬貨でないと検知したものを排出皿に排出する。
【０００５】
入出金装置は受け皿に磁気センサを備え、この時期センサの出力によって出金後に硬貨が取り残されているかを判定し、取り残しがある場合にはその旨をＰＯＳ端末に送信する。この場合、ＰＯＳ端末はディスプレイに取り残しがある旨の表示を行う。
【０００６】
従来の入出金装置は受け皿にしかセンサを備えておらず、排出皿に排出されたものがある場合には検知していなかった。従って、この排出されたものを顧客に変換し忘れることが発生する可能性があった。
【先行技術文献】
【特許文献】
【０００７】
【特許文献１】特開２００９−１５７４３１号公報
【発明の概要】
【発明が解決しようとする課題】
【０００８】
従って、排出皿に排出されたものがある場合にも顧客に返し忘れる前にオペレータに通知できる入出金装置、商品販売データ登録処理装置及び商品販売データ登録処理プログラムが求められている。
【課題を解決するための手段】
【０００９】
上記の課題を解決するために、本発明の一実施形態は、情報を入出力する入出力部と、記録媒体に画像形成するプリンタと、商品毎に固有に割り当てられる識別子である商品コード毎に単価を格納する商品マスタと、一取引の内容を格納するトランザクションファイルと、物の存在を検知する受け皿センサを備え、出金する硬貨を受ける受け皿及び物の存在を検知する排出皿センサを備え、排出する物を受ける排出皿を備える入出金装置から少なくとも排出皿に物が存在する旨の情報を受信した場合、入出力部に排出皿から当該物の取り除きを促す旨の表示を出力する制御部と、を備える商品販売データ登録処理装置を提供する。
【図面の簡単な説明】
【００１０】
【図１】商品販売データ登録処理装置の外観斜視図である。
【図２】入出金装置の外観斜視図である。
【図３】入出金装置の格納部のカバーを外した場合の上面図である。
【図４】入出金装置を図３のＢ矢視図である。
【図５】入出金装置の図２におけるＡＡ線断面図である。
【図６】登録処理装置の構成を示すブロック図である。
【図７】第１の実施形態に係る硬貨抜き取り待ち動作を示すフローチャートである。
【図８】メッセージの例を示す図である。
【図９】第１の実施形態に係る硬貨抜き取り待ち動作を示すフローチャートである。
【図１０】第１のメッセージの例を示す図である。
【図１１】第２のメッセージの例を示す図である。
【図１２】第３のメッセージの例を示す図である。
【発明を実施するための形態】
【００１１】
以下、入出金装置、商品販売データ登録処理装置及び商品販売データ登録処理プログラムの一実施形態について、図面を用いて詳細に説明する。
【００１２】
本実施形態の商品販売データ登録処理装置は、情報を入出力する入出力部と、記録媒体に画像形成するプリンタと、商品毎に固有に割り当てられる識別子である商品コード毎に単価を格納する商品マスタと、一取引の内容を格納するトランザクションファイルと、物の存在を検知する受け皿センサを備え、出金する硬貨を受ける受け皿及び物の存在を検知する排出皿センサを備え、排出する物を受ける排出皿を備える入出金装置から少なくとも排出皿に物が存在する旨の情報を受信した場合、入出力部に排出皿から当該物の取り除きを促す旨の表示を出力する制御部と、を備える。
【００１３】
図１は、商品販売データ登録処理装置１（以下、登録処理装置１と言う。）の外観斜視図である。図１に示すように、ＰＯＳ（Ｐｏｉｎｔ  ｏｆ  ｓａｌｅｓ）端末などの登録処理装置１は、本体部１０１と、タッチパネル等の入出力装置であるオペレータ側入出力装置１２Ａと、顧客側に向けられるタッチパネル等の入出力装置である客面入出力装置１２Ｂと、記録媒体に画像形成するプリンタ１２Ｃと、カードリーダ１０２と、キーボード１０３と、入出金装置２と、を備える。
【００１４】
以下、オペレータ側入出力装置１２Ａ及び客面入出力装置１２Ｂを入出力部１２と呼ぶ。
【００１５】
登録処理装置１はさらに、商品のバーコードをスキャンするスキャナを備えていてもよい。登録処理装置１は入出金装置２と接続して使用することができる。
【００１６】
図２は、入出金装置２の外観斜視図である。図２に示すように、入出金装置２は、硬貨を選別、格納する格納部２１と、硬貨を投入する投入孔２２と、出金した硬貨を受ける受け皿２３と、投入された硬貨のうち排出されたものを受ける排出皿２４と、を備える。
【００１７】
図３は、入出金装置２の格納部２１のカバーを外した場合の上面図である。図３に示すように、入出金装置２は、投入孔２２から投入された硬貨を１枚ずつ搬送する硬貨搬送路３２と、硬貨搬送路３２に設けられる磁気センサなどの硬貨判別センサ３１と、硬貨判別センサ３１によって硬貨ではないと判定されたものを排出する排出口３３Ａ及び排出シャッタ３３Ｂと、硬貨を沿って搬送させるガイド３４と、を備える。
【００１８】
入出金装置２はさらに、各硬貨の大きさに対応する幅の切り欠き３５を有する硬貨選別部３６と、硬貨選別部３６から落下する硬貨を硬貨の種別ごとに検知する落下センサ３７Ａ乃至３７Ｆ（以下、落下センサ３７Ａ乃至３７Ｆを落下センサ３７という。）
投入された硬貨は、矢印Ｘ１に示す方向に搬送され、硬貨でないと判定されたものは排出口３３Ａから落下選別される。硬貨と判定された硬貨Ｃは矢印Ｘ２に示す方向に搬送され、硬貨選別部３６によって硬貨の種別ごとに振り分けられ、さらに矢印Ｘ３の方向に搬送されて格納される。
【００１９】
図４は、入出金装置２を図３のＢ矢視図である。図４に示すように、入出金装置２は、硬貨搬送路３２に沿って設けられる搬送ベルト４１と、搬送ベルト４１を駆動する駆動滑車４２、及び従動滑車４３と、排出口３３Ａの直下に配置される排出ベルト４６と、排出ベルトを駆動する駆動ローラ４４、及び従動ローラ４５と、を備える。
【００２０】
排出口３３Ａから落下したものは、排出ベルト４６によって矢印Ｘ３に示す方向に搬送され、排出皿２４に排出される。
【００２１】
図５は、入出金装置２の図２におけるＡＡ線断面図である。図５に示すように、入出金装置２は、受け皿２３の底部に硬貨の存在を検知する受け皿センサ５１と、排出皿２４の底部に硬貨の存在を検知する排出皿センサ５３と、を備える。
【００２２】
受け皿センサ５１は受け皿センサ基板５２に設置される。受け皿センサ５１は、例えば磁気センサ、光センサ等を用いることができる。
【００２３】
排出皿センサ５３は排出皿センサ基板５４に設置される。排出皿センサ５３は、例えば磁気センサ、光センサ等を用いることができる。
【００２４】
磁気センサは、内部にコイルを備え、磁気センサに近づいた物の磁気的性質を電圧に変換して出力する。
【００２５】
従って、入出金装置２は、受け皿センサ５１及び排出皿センサ５３の出力に基づいて受け皿２３又は排出皿２４に硬貨が存在するか否かを検知することができる。
【００２６】
図６は、登録処理装置１の構成を示すブロック図である。図６に示すように、登録処理装置１は、演算装置であるＣＰＵ（Ｃｅｎｔｒａｌ  ｐｒｏｃｅｓｓｉｎｇ  ｕｎｉｔ）を含む制御部１１と、情報を入出力する入出力部１２と、プリンタ１２Ｃと、情報通信を行う通信部１３と、メモリ、ハードディスクドライブ等の記憶装置を含む記憶部１４と、入出金装置２と、を備える。
【００２７】
記憶部１４は、商品毎に固有に割り当てられる識別子である商品コード毎に単価を格納する商品マスタ１４Ａと、一取引の内容を格納するトランザクションファイル１４Ｂと、を格納する。
【００２８】
記憶部１４は、商品販売データ登録処理プログラムを格納し、制御部１１は記憶部１４から商品販売データ登録処理プログラムを読み出して実行する。
【００２９】
入出金装置２は、演算装置であるＣＰＵを含む入出金装置制御部２０１と、メモリ等の記憶装置を含む入出金装置記憶部２０２と、通信を行う入出金装置通信部２０３と、を備える。
【００３０】
入出金装置記憶部２０２は、商品販売データ登録処理プログラムを格納し、入出金装置制御部２０１は入出金装置記憶部２０２から商品販売データ登録処理プログラムを読み出して実行する。
【００３１】
図７は、第１の実施形態に係る硬貨抜き取り待ち動作を示すフローチャートである。図７に示すように、ステップ７０１において、登録処理装置１は、釣銭などの出金を指示する出金要求を入出金装置２に送信する。
【００３２】
ステップ７０２において、入出金装置２は、出金要求を受信する。
【００３３】
ステップ７０３において、入出金装置２は出金要求に基づいて出金処理を行う。
【００３４】
ステップ７０４において、入出金装置２は受け皿センサ５１の出力に基づいて受け皿２３に硬貨が存在しているかを判定する。入出金装置２は受け皿センサ５１の出力に基づいて受け皿２３に硬貨が存在していると判定した場合、ステップ７０５に進み、硬貨が存在しないと判定した場合、ステップ７０６に進む。
【００３５】
ステップ７０５において、入出金装置２は硬貨の残留の有無を示すフラグをＯＮにする。
【００３６】
ステップ７０６において、入出金装置２は硬貨の残留の有無を示すフラグをＯＦＦにする。
【００３７】
ステップ７０７において、入出金装置２は排出皿センサ５３の出力に基づいて排出皿２４に硬貨等の物が存在しているかを判定する。入出金装置２は排出皿センサ５３の出力に基づいて排出皿２４に硬貨等の物が存在していると判定した場合、ステップ７０８に進み、硬貨等の物が存在しないと判定した場合、ステップ７０９に進む。
【００３８】
ステップ７０８において、入出金装置２は硬貨の残留の有無を示すフラグをＯＮにする。
【００３９】
ステップ７０９において、入出金装置２はフラグを登録処理装置１に送信する。
【００４０】
ステップ７１０において、入出金装置２はフラグがＯＦＦかを判定する。入出金装置２は、フラグがＯＦＦである場合処理を終了し、フラグがＯＦＦでない場合、ステップ７０４に戻る。
【００４１】
ステップ７１１において、登録処理装置１はフラグを受信する。
【００４２】
ステップ７１２において、登録処理装置１はフラグがＯＮであるかを判定する。登録処理装置１はフラグがＯＮである場合、ステップ７１３に進み、フラグがＯＮでない場合、ステップ７１４に進む。
【００４３】
ステップ７１３において、登録処理装置１はオペレータ側入出力装置１２Ａに受け皿２３又は排出皿２４からの硬貨の抜き取りを促すメッセージを表示し、ステップ７１１に戻る。
【００４４】
この場合、登録処理装置１はフラグがＯＦＦとなるまで処理を中断するように構成することもできる。
【００４５】
ステップ７１４において、登録処理装置１はメッセージを消去し、処理を終了する。
【００４６】
図８は、メッセージ８０２の例を示す図である。図８に示すように、登録処理装置１はオペレータ側入出力装置１２Ａに登録画面８０１が表示されていても、登録画面８０１の上に硬貨の抜き取りを促すメッセージ８０２である「硬貨を取り出してください」を表示する。
【００４７】
登録処理装置１は、メッセージ８０２にメッセージ８０２を消去する「ＯＫ」ボタンを表示してもよい。
【００４８】
メッセージ８０２は、登録処理装置１がＯＦＦのフラグを受信した場合、「ＯＫ」ボタンが押下されなくてもメッセージ８０２を消去する。
【００４９】
本実施形態によれば、登録処理装置１は受け皿２３又は排出皿２４に硬貨のような物が存在していた場合、オペレータにその旨を通知することができるため、排出皿２４に排出されたものがある場合にも顧客に返し忘れる前にオペレータに通知できるという効果がある。
【００５０】
図９は、第１の実施形態に係る硬貨抜き取り待ち動作を示すフローチャートである。図９に示すように、ステップ９０１において、登録処理装置１は、釣銭などの出金を指示する出金要求を入出金装置２に送信する。
【００５１】
ステップ９０２において、入出金装置２は、出金要求を受信する。
【００５２】
ステップ９０３において、入出金装置２は出金要求に基づいて出金処理を行う。
【００５３】
ステップ９０４において、入出金装置２は受け皿センサ５１の出力に基づいて受け皿２３に硬貨が存在しているかを判定する。入出金装置２は受け皿センサ５１の出力に基づいて受け皿２３に硬貨が存在していると判定した場合、ステップ７０５に進み、硬貨が存在しないと判定した場合、ステップ７０６に進む。
【００５４】
ステップ９０５において、入出金装置２は受け皿２３に硬貨が残留しているか否かを示す受け皿フラグをＯＮにする。
【００５５】
ステップ９０６において、入出金装置２は受け皿２３に硬貨が残留しているか否かを示す受け皿フラグをＯＦＦにする。
【００５６】
ステップ９０７において、入出金装置２は排出皿センサ５３の出力に基づいて排出皿２４に硬貨等の物が存在しているかを判定する。入出金装置２は排出皿センサ５３の出力に基づいて排出皿２４に硬貨等の物が存在していると判定した場合、ステップ９０８に進み、硬貨等の物が存在しないと判定した場合、ステップ９０９に進む。
【００５７】
ステップ９０８において、入出金装置２は排出皿２４に硬貨が残留しているか否かを示す排出皿フラグをＯＮにする。
【００５８】
ステップ９０９において、入出金装置２は排出皿２４に硬貨が残留しているか否かを示す排出皿フラグをＯＦＦにする。
【００５９】
ステップ９１０において、入出金装置２は受け皿フラグ及び排出皿フラグを登録処理装置１に送信する。
【００６０】
ステップ９１１において、入出金装置２は受け皿フラグ及び排出皿フラグがいずれもＯＦＦかを判定する。入出金装置２は、受け皿フラグ及び排出皿フラグがいずれもＯＦＦである場合処理を終了し、受け皿フラグ及び排出皿フラグのいずれかがＯＦＦでない場合、ステップ９０４に戻る。
【００６１】
ステップ９１２において、登録処理装置１は受け皿フラグ及び排出皿フラグを受信する。
【００６２】
ステップ９１３において、登録処理装置１は受け皿フラグ及び排出皿フラグのいずれかがＯＮであるかを判定する。登録処理装置１は受け皿フラグ及び排出皿フラグのいずれかがＯＮである場合、ステップ９１４に進み、受け皿フラグ及び排出皿フラグのいずれもがＯＮでない場合、ステップ９１５に進む。
【００６３】
ステップ９１４において、登録処理装置１はオペレータ側入出力装置１２Ａに受け皿２３又は排出皿２４からの硬貨の抜き取りを促すメッセージを表示し、ステップ７１１に戻る。
【００６４】
この場合、登録処理装置１はフラグがＯＦＦとなるまで処理を中断するように構成することもできる。
【００６５】
登録処理装置１は、受け皿フラグのみがＯＮの場合は受け皿２３からの硬貨の取り出しを促す第１のメッセージを、排出皿フラグのみがＯＮの場合は排出皿２４からの硬貨等の物の取り出しを促す第２のメッセージを、受け皿フラグ及び排出皿フラグの両方のフラグがＯＮの場合は受け皿２３及び排出皿２４の両方の皿からの硬貨等の物の取り出しを促す第３のメッセージをオペレータ側入出力装置１２Ａに表示する。
【００６６】
ステップ９１５において、登録処理装置１はメッセージを消去し、処理を終了する。
【００６７】
図１０は、第１のメッセージ１００２の例を示す図である。図１０に示すように、登録処理装置１はオペレータ側入出力装置１２Ａに登録画面１００１が表示されていても、登録画面１００１の上に受け皿２３からの硬貨の抜き取りを促す第１のメッセージ１００２である「受け皿から硬貨を取り出してください」を表示する。
【００６８】
登録処理装置１は、第１のメッセージ１００２に第１のメッセージ１００２を消去する「ＯＫ」ボタンを表示してもよい。
【００６９】
登録処理装置１は登録処理装置１がＯＦＦの受け皿フラグを受信した場合、「ＯＫ」ボタンが押下されなくても第１のメッセージ１００２を消去する。
【００７０】
図１１は、第２のメッセージ１１０２の例を示す図である。図１１に示すように、登録処理装置１はオペレータ側入出力装置１２Ａに登録画面１１０１が表示されていても、登録画面１１０１の上に排出皿２４からの硬貨等の物の抜き取りを促す第２のメッセージ１１０２である「排出皿から硬貨を取り出してください」を表示する。
【００７１】
登録処理装置１は、第２のメッセージ１１０２に第２のメッセージ１１０２を消去する「ＯＫ」ボタンを表示してもよい。
【００７２】
登録処理装置１は登録処理装置１がＯＦＦの排出皿フラグを受信した場合、「ＯＫ」ボタンが押下されなくても第２のメッセージ１１０２を消去する。
【００７３】
図１２は、第３のメッセージ１２０２の例を示す図である。図１２に示すように、登録処理装置１はオペレータ側入出力装置１２Ａに登録画面１２０１が表示されていても、登録画面１２０１の上に受け皿２３及び排出皿２４からの硬貨等の物の抜き取りを促す第３のメッセージ１２０２である「受け皿及び排出皿から硬貨を取り出してください」を表示する。
【００７４】
登録処理装置１は、第３のメッセージ１２０２に第３のメッセージ１２０２を消去する「ＯＫ」ボタンを表示してもよい。
【００７５】
登録処理装置１は登録処理装置１がＯＦＦの受け皿フラグ又はＯＦＦの排出皿フラグを受信した場合、「ＯＫ」ボタンが押下されなくても第３のメッセージ１２０２を消去する。
【００７６】
本実施形態によれば、登録処理装置１は受け皿２３又は排出皿２４に硬貨のような金属の物が存在していた場合、オペレータにいずれの皿に硬貨のような物が存在するかを通知することができるため、受け皿２３と排出皿２４のいずれか、又は両方に排出されたものがある場合にも顧客に返し忘れる前にオペレータに通知できるという効果がある。
【００７７】
以上述べたように、本実施形態の登録処理装置１は、情報を入出力する入出力部１２と、記録媒体に画像形成するプリンタ１２Ｃと、商品毎に固有に割り当てられる識別子である商品コード毎に単価を格納する商品マスタと、一取引の内容を格納するトランザクションファイルと、物の存在を検知する受け皿センサ５１を備え、出金する硬貨を受ける受け皿２３及び物の存在を検知する排出皿センサ５３を備え、排出する物を受ける排出皿２４を備える入出金装置２から少なくとも排出皿２４に物が存在する旨の情報を受信した場合、入出力部１２に排出皿２４から当該物の取り除きを促す旨の表示を出力する制御部１１と、を備える。
【００７８】
従って、排出皿に排出されたものがある場合にも顧客に返し忘れる前にオペレータに通知できるという効果がある。
【００７９】
なお、上述の実施形態においては、オペレータが操作を行う登録処理装置１を基に説明したが、各実施形態はセルフ型の登録処理装置１でも実施可能である。
【００８０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８１】
１：登録処理装置
２：入出金装置
２３：受け皿
２４：排出皿
５１：受け皿センサ
５３：排出皿センサ
【図１】
2015026241.tif 000003
【図２】
2015026241.tif 000004
【図３】
2015026241.tif 000005
【図４】
2015026241.tif 000006
【図５】
2015026241.tif 000007
【図６】
2015026241.tif 000008
【図７】
2015026241.tif 000009
【図８】
2015026241.tif 000010
【図９】
2015026241.tif 000011
【図１０】
2015026241.tif 000012
【図１１】
2015026241.tif 000013
【図１２】
2015026241.tif 000014